(57)【要約】【課題】コンデンサの傾動を抑制する。【解決手段】コンデンサ回路基板３１には、一列に並んで配置された複数の第１コンデンサ５０と、複数の第１コンデンサ５０と並列となるように一列に並んで配置された複数の第２コンデンサ６０とが実装されている。第１コンデンサ５０に隣り合う第２コンデンサ６０は、第１コンデンサ５０におけるリード線５４、５６とコンデンサ回路基板３１との固定箇所を支点としてリード線５４、５６の並設方向Ｌとは直交する方向に第１コンデンサ５０を傾動させたときの仮想傾動範囲Ｈ内に配置されている。そして、第１コンデンサ５０におけるリード線５４、５６の並設方向Ｌと、当該第１コンデンサ５０に隣り合う第２コンデンサ６０におけるリード線６４、６６の並設方向Ｒとが交差している。【選択図】図２
2018195699.tif 000002
【特許請求の範囲】
【請求項１】
回路基板上に複数のコンデンサが実装されている電子機器であって、
前記コンデンサは、柱状の本体部と、当該本体部の軸方向一方側の端面から同一方向に向けて延出されているとともに前記回路基板に固定されている一対のリード線とを備えており、
前記回路基板には、前記コンデンサとして、一列に並んで配置された複数の第１コンデンサと、複数の前記第１コンデンサと並列となるように一列に並んで配置された複数の第２コンデンサとが実装されており、
前記第１コンデンサの前記リード線と前記回路基板との固定箇所を支点として前記一対のリード線の並設方向とは直交する方向に、前記第１コンデンサを傾動させたときの仮想傾動範囲内に、当該第１コンデンサに隣り合う前記第２コンデンサが配置されており、
前記第１コンデンサにおける前記リード線の並設方向と、当該第１コンデンサに隣り合う前記第２コンデンサにおける前記リード線の並設方向とが交差している電子機器。
【請求項２】
隣り合う前記第１コンデンサは、それぞれの前記仮想傾動範囲内に互いが配置され、かつ、それぞれの前記リード線の並設方向が互いに交差している
請求項１に記載の電子機器。
【請求項３】
前記第１コンデンサと、当該第１コンデンサに隣り合う前記第２コンデンサとは、それぞれの前記リード線の並設方向が互いに直交している
請求項１又は２に記載の電子機器。
【請求項４】
前記コンデンサの前記本体部は円柱状であり、
前記第１コンデンサの前記本体部と前記第２コンデンサの前記本体部とは同じ外径であり、
それぞれの前記第１コンデンサは、互いに等間隔で同一直線上に配置され、
それぞれの前記第２コンデンサは、互いに等間隔で同一直線上に配置され、
前記第１コンデンサ及び前記第２コンデンサは、前記第１コンデンサ及び前記第２コンデンサの軸線方向から平面視した場合にハニカム状となるように、前記回路基板への取り付け位置が互い違いにずれて配置されている
請求項１〜３のいずれか一項に記載の電子機器。
【請求項５】
隣り合う前記コンデンサの前記本体部の外周面が互いに接触している
請求項１〜４のいずれか一項に記載の電子機器。
【発明の詳細な説明】
【技術分野】
【０００１】
この発明は、電子機器に関する。
【背景技術】
【０００２】
特許文献１には、直流電圧を昇圧しつつ交流電力に変換するパワーコンディショナー装置が開示されている。このパワーコンディショナー装置は、入力される直流電流を昇圧するＤＣ／ＤＣコンバータ回路と、このＤＣ／ＤＣコンバータ回路が昇圧した直流電流を交流電流に変換するインバータ回路とを備えている。これらＤＣ／ＤＣコンバータ回路及びインバータ回路は、いずれも回路基板と当該回路基板上に実装された電子部品とを含んで構成されている。各回路基板上には、電子部品として略円柱状のコンデンサが実装されている。
【先行技術文献】
【特許文献】
【０００３】
【特許文献１】特開２０１１−１９２８０９号公報
【発明の概要】
【発明が解決しようとする課題】
【０００４】
回路基板上に実装されるコンデンサとして、例えば略円柱状の本体部の軸方向一方側の端面から一対のリード線が延出しているものが知られている。この種のコンデンサにおいては、一対のリード線が回路基板にはんだ付け等で固定されることが一般的である。このようなコンデンサの固定態様において回路基板が外部からの力により振動すると、その振動の方向によってはコンデンサがそのリード線における回路基板との固定箇所を支点として傾動することがある。このようなコンデンサの傾動が繰り返し生じると、リード線にかかる負担が過度に大きくなってリード線の破断を招くおそれがある。そこで、電子機器においては、コンデンサの傾動を抑制できる構造が求められる。
【課題を解決するための手段】
【０００５】
上記課題を解決するための電子機器は、回路基板上に複数のコンデンサが実装されている電子機器であって、前記コンデンサは、柱状の本体部と、当該本体部の軸方向一方側の端面から同一方向に向けて延出されているとともに前記回路基板に固定されている一対のリード線とを備えており、前記回路基板には、前記コンデンサとして、一列に並んで配置された複数の第１コンデンサと、複数の前記第１コンデンサと並列となるように一列に並んで配置された複数の第２コンデンサとが実装されており、前記第１コンデンサの前記リード線と前記回路基板との固定箇所を支点として前記一対のリード線の並設方向とは直交する方向に、前記第１コンデンサを傾動させたときの仮想傾動範囲内に、当該第１コンデンサに隣り合う前記第２コンデンサが配置されており、前記第１コンデンサにおける前記リード線の並設方向と、当該第１コンデンサに隣り合う前記第２コンデンサにおける前記リード線の並設方向とが交差している。
【０００６】
上述の構成においては、第１コンデンサを傾動させたときの仮想傾動範囲内に、当該第１コンデンサに隣り合う第２コンデンサが配置されている。そのため、回路基板の振動に伴って第１コンデンサが傾動しようとしても、当該第１コンデンサは第２コンデンサによって受け止められる。ここで、第１コンデンサ及び第２コンデンサは、リード線の並設方向には傾動し難いが、リード線の並設方向と直交する方向には傾動し易い。そして、上述の構成においては、第１コンデンサのリード線の並設方向と第２コンデンサのリード線の並設方向とが交差している。換言すれば、第１コンデンサが傾動し易い方向と第２コンデンサが傾動し易い方向とが異なっている。したがって、傾動しようとする第１コンデンサを受け止めた第２コンデンサが第１コンデンサと共に傾動してしまうことは抑制される。このように、第１コンデンサ及び第２コンデンサは、互いの傾動を抑制し合うことができる。
【０００７】
上記電子機器において、隣り合う前記第１コンデンサは、それぞれの前記仮想傾動範囲内に互いが配置され、かつ、それぞれの前記リード線の並設方向が互いに交差していてもよい。
【０００８】
上述の構成によれば、第１コンデンサ及び第２コンデンサという異なる列の間で傾動を抑制し合うだけでなく、隣り合う第１コンデンサ同士という同一の列の中で互いの傾動を抑制し合うことができる。そのため、第１コンデンサの傾動をより確実に抑制できる。
【０００９】
上記電子機器において、前記第１コンデンサと、当該第１コンデンサに隣り合う前記第２コンデンサとは、それぞれの前記リード線の並設方向が互いに直交していてもよい。
上述の構成によれば、第１コンデンサが最も傾動し易い方向は、第２コンデンサが最も傾動し難い方向である。そのため、第１コンデンサの傾動を、より効果的に第２コンデンサで抑制できる。
【００１０】
上記電子機器において、前記コンデンサの前記本体部は円柱状であり、前記第１コンデンサの前記本体部と前記第２コンデンサの前記本体部とは同じ外径であり、それぞれの前記第１コンデンサは、互いに等間隔で同一直線上に配置され、それぞれの前記第２コンデンサは、互いに等間隔で同一直線上に配置され、前記第１コンデンサ及び前記第２コンデンサは、前記第１コンデンサ及び前記第２コンデンサの軸線方向から平面視した場合にハニカム状となるように、前記回路基板への取り付け位置が互い違いにずれて配置されていてもよい。
【００１１】
上述の構成においては、第１コンデンサと第２コンデンサとがハニカム状に密集して配置される。そのため、回路基板の振動に伴って例えば一つのコンデンサが傾動しようとしても、その傾動をコンデンサ群全体で受け止めることができる。したがって、コンデンサの傾動を抑制する効果を、より高めることができる。
【００１２】
上記電子機器において、隣り合う前記コンデンサの前記本体部の外周面が互いに接触していてもよい。
上述の構成においては、隣り合うコンデンサ同士が接触していることで、各コンデンサの僅かな傾動すらも抑制できる。したがって、各コンデンサが傾動することに伴ってリード線が破断することは好適に抑制できる。
【発明の効果】
【００１３】
本発明によれば、回路基板に実装されているコンデンサの傾動を抑制できる。
【図面の簡単な説明】
【００１４】
【図１】半導体装置の分解斜視図。
【図２】コンデンサモジュールの部分平面図。
【図３】コンデンサモジュールの部分側面図。
【図４】図３とは９０°異なる方向から視たコンデンサモジュールの部分側面図。
【図５】各コンデンサがそれぞれ互いの仮想傾動範囲外に位置している場合のコンデンサモジュールの部分平面図。
【発明を実施するための形態】
【００１５】
以下、電子機器の一実施形態を、図面を参照して詳細に説明する。なお、本実施形態の電子機器は、産業車両に搭載される半導体装置として電子機器を具体化したものである。
図１に示すように、電子機器としての半導体装置１０は、矩形板状のヒートシンク１１を備えている。ヒートシンク１１は、アルミニウム系金属や銅等によって形成されている。ヒートシンク１１の上面には、半導体モジュール１２が配置されている。
【００１６】
半導体モジュール１２は、矩形板状の主回路基板２２を備えている。主回路基板２２は、金属基板の上面に絶縁コーティングを施し、その絶縁コーティングの上に銅又はアルミ製の導体パターン（図示省略）が形成されたものである。以下、主回路基板２２の長辺方向を長さ方向とし、長さ方向に直交する短辺方向を幅方向とする。
【００１７】
主回路基板２２には、複数の半導体素子２３が実装されている。この実施形態では、半導体素子２３は、ＭＯＳトランジスタである。複数の半導体素子２３はそれぞれ、矩形状であり、主回路基板２２の導体パターンに、はんだ付けにて接合されている。複数の半導体素子２３は、６つの半導体素子群Ｇ１〜Ｇ６に分かれて配置されている。各半導体素子群Ｇ１〜Ｇ６において、各半導体素子２３は、主回路基板２２の幅方向に沿って一列に並んでいる。各半導体素子群Ｇ１〜Ｇ６は、主回路基板２２の長さ方向に並んでいる。具体的には、半導体素子群は、主回路基板２２の長さ方向の一方側から他方側に向けて、第１半導体素子群Ｇ１、第２半導体素子群Ｇ２、第３半導体素子群Ｇ３、第４半導体素子群Ｇ４、第５半導体素子群Ｇ５、第６半導体素子群Ｇ６の順番で並んでいる。そして、第１半導体素子群Ｇ１と第２半導体素子群Ｇ２とは一組となってＵ相を構成している。第３半導体素子群Ｇ３と第４半導体素子群Ｇ４とは一組となってＶ相を構成している。第５半導体素子群Ｇ５と第６半導体素子群Ｇ６とは一組となってＷ相を構成している。なお、各半導体素子群Ｇ１〜Ｇ６は、それぞれ個別の導体パターンに電気的に接続されている。各半導体素子群Ｇ１〜Ｇ６において、各半導体素子２３は、導体パターンに並列に接続されている。
【００１８】
主回路基板２２の長さ方向の一方側（図１において右上側）には、アルミニウムによって形成された正極側入力電極２７が配置されている。主回路基板２２の長さ方向の他方側には、アルミニウムによって形成された負極側入力電極２８が配置されている。正極側入力電極２７及び負極側入力電極２８はそれぞれ、主回路基板２２の導体パターン上に配置されたパターン接続用電極部２７ａ、２８ａを備えている。両パターン接続用電極部２７ａ、２８ａは、板状に形成されている。両パターン接続用電極部２７ａ、２８ａの上面からは、それぞれ円筒状の外部接続用電極部２７ｃ、２８ｃが立設している。両パターン接続用電極部２７ａ、２８ａの下面は、主回路基板２２の導体パターンと面接触しており、主回路基板２２を介してヒートシンク１１と結合されている。これにより、両パターン接続用電極部２７ａ、２８ａが、ヒートシンク１１と熱的に結合されている。また、両パターン接続用電極部２７ａ、２８ａには、それぞれ２つずつねじ穴Ｐが貫通されている。なお、図１では、両パターン接続用電極部２７ａ、２８ａのそれぞれにおいて、幅方向一方のねじ穴Ｐのみに符号を付し、他方のねじ穴Ｐについては符号の図示を省略している。
【００１９】
正極側入力電極２７と負極側入力電極２８との間には、産業車両の車載走行モータに接続されるＵ相出力端子Ｕ、Ｖ相出力端子Ｖ、及びＷ相出力端子Ｗが配置されている。Ｕ相出力端子Ｕは、Ｕ相の上アーム半導体素子群（第１半導体素子群Ｇ１）と下アーム半導体素子群（第２半導体素子群Ｇ２）との間に配置されている。Ｖ相出力端子Ｖは、Ｖ相の上アーム半導体素子群（第３半導体素子群Ｇ３）と下アーム半導体素子群（第４半導体素子群Ｇ４）との間に配置されている。Ｗ相出力端子Ｗは、Ｗ相の上アーム半導体素子群（第５半導体素子群Ｇ５）と下アーム半導体素子群（第６半導体素子群Ｇ６）との間に配置されている。
【００２０】
Ｕ相出力端子Ｕ、Ｖ相出力端子Ｖ、及びＷ相出力端子Ｗはそれぞれ、主回路基板２２の導体パターン上に配置される基部Ｕａ、Ｖａ、Ｗａを備えている。各基部Ｕａ、Ｖａ、Ｗａは細長い矩形板状に形成されている。各基部Ｕａ、Ｖａ、Ｗａの上面の中央域からは、それぞれ、円筒状の外部接続用端子Ｕｂ、Ｖｂ、Ｗｂが立設している。なお、各外部接続用端子Ｕｂ、Ｖｂ、Ｗｂは、車載走行モータに接続される。
【００２１】
Ｕ相出力端子Ｕの基部Ｕａには、外部接続用端子Ｕｂを挟んで両側に１つずつ、ねじ穴Ｐが貫通されている。Ｖ相出力端子Ｖの基部Ｖａ及びＷ相出力端子Ｗの基部Ｗａにも、同様にねじ穴Ｐが貫通されている。なお、図１では、各基部Ｕａ、Ｖａ、Ｗａのそれぞれにおいて、幅方向一方のねじ穴Ｐのみに符号を付し、他方のねじ穴Ｐについては符号の図示を省略している。
【００２２】
第２半導体素子群Ｇ２と第３半導体素子群Ｇ３との間には、板状の負極側中継端子２５が配置されている。第４半導体素子群Ｇ４と第５半導体素子群Ｇ５との間には、板状の正極側中継端子２６が配置されている。負極側中継端子２５及び正極側中継端子２６には、それぞれ２つずつねじ穴Ｐが貫通されている。なお、図１では、負極側中継端子２５及び正極側中継端子２６のそれぞれにおいて、幅方向一方のねじ穴Ｐのみに符号を付し、他方のねじ穴Ｐについては符号の図示を省略している。
【００２３】
各半導体素子群Ｇ１〜Ｇ６の電気的な接続構造について説明する。第１半導体素子群Ｇ１のドレイン用の導体パターンは、正極側入力電極２７のパターン接続用電極部２７ａに電気的に接続されている。第４半導体素子群Ｇ４及び第５半導体素子群Ｇ５のドレイン用の導体パターンは、正極側中継端子２６を介して正極側入力電極２７に電気的に接続されている。第２半導体素子群Ｇ２及び第３半導体素子群Ｇ３のソース用の導体パターンは、負極側中継端子２５を介して負極側入力電極２８と電気的に接続されている。第６半導体素子群Ｇ６のソース用の導体パターンは、負極側入力電極２８のパターン接続用電極部２８ａと電気的に接続されている。
【００２４】
第１半導体素子群Ｇ１のソース電極は、Ｕ相出力端子Ｕの基部Ｕａに電気的に接続されている。第２半導体素子群Ｇ２のドレイン電極はＵ相出力端子Ｕの基部Ｕａに電気的に接続されている。第４半導体素子群Ｇ４のソース電極は、Ｖ相出力端子Ｖの基部Ｖａに電気的に接続されている。第３半導体素子群Ｇ３のドレイン電極はＶ相出力端子Ｖの基部Ｖａに電気的に接続されている。第５半導体素子群Ｇ５のソース電極は、Ｗ相出力端子Ｗの基部Ｗａに電気的に接続されている。第６半導体素子群Ｇ６のドレイン電極はＷ相出力端子Ｗの基部Ｗａに電気的に接続されている。
【００２５】
図１に示すように、主回路基板２２の上方には、コンデンサモジュール３０が配置されている。コンデンサモジュール３０は、主回路基板２２と略同じ矩形状に形成された板状のコンデンサ回路基板３１を備えている。コンデンサ回路基板３１の長辺方向である長さ方向は、主回路基板の長さ方向と一致している。この長さ方向に直交する方向である幅方向は、主回路基板２２の幅方向に一致している。コンデンサ回路基板３１における幅方向の中央域には、同コンデンサ回路基板３１が厚み方向に貫通された貫通孔３２が３つ設けられている。３つの貫通孔３２は、コンデンサ回路基板３１の長さ方向に並んでいる。また、コンデンサ回路基板３１の長さ方向の両縁部には、コンデンサ回路基板３１の長さ方向の中央側へ凹んだ凹部３３が形成されている。各凹部３３は、コンデンサ回路基板３１における幅方向の中央域に位置している。
【００２６】
コンデンサ回路基板３１の両凹部３３には、正極側入力電極２７及び負極側入力電極２８の外部接続用電極部２７ｃ、２８ｃがそれぞれ配置されている。また、コンデンサ回路基板３１の各貫通孔３２には、Ｕ相出力端子Ｕ、Ｖ相出力端子Ｖ、及びＷ相出力端子Ｗの外部接続用端子Ｕｂ、Ｖｂ、Ｗｂがそれぞれ挿通されている。また、コンデンサ回路基板３１は、正極側入力電極２７及び負極側入力電極２８のパターン接続用電極部２７ａ、２８ａの上面で支持されている。
【００２７】
コンデンサモジュール３０のコンデンサ回路基板３１には、複数のねじ穴Ｐが貫通されている。コンデンサ回路基板３１の各ねじ穴Ｐは、当該コンデンサ回路基板３１を半導体モジュール１２の主回路基板２２に対向配置したときに、半導体モジュール１２の各ねじ穴Ｐに対応する位置に設けられている。コンデンサ回路基板３１の各ねじ穴Ｐ、及び半導体モジュール１２の各ねじ穴Ｐには、それぞれ図示しないねじが挿通され、このねじによって、コンデンサモジュール３０が半導体モジュール１２に固定されている。なお、この実施形態では、コンデンサモジュール３０及び半導体モジュール１２を固定するねじは、ヒートシンク１１にまで至っており、同ねじにより、コンデンサモジュール３０及び半導体モジュール１２がヒートシンク１１にも固定されている。図１では、コンデンサ回路基板３１における複数のねじ穴Ｐのうち、一部のねじ穴Ｐについては符号の図示を省略している。
【００２８】
上記のように構成された半導体装置１０においては、Ｕ相出力端子Ｕ、Ｖ相出力端子Ｖ、及びＷ相出力端子Ｗの外部接続用端子Ｕｂ、Ｖｂ、Ｗｂが、制御回路に電気的に接続されている。この制御回路を通じた制御によって半導体装置１０から車載走行モータに電力が供給される。
【００２９】
図１に示すように、コンデンサ回路基板３１上には、複数のコンデンサ４０が実装されている。各コンデンサ４０は、貫通孔３２よりもコンデンサ回路基板３１における幅方向の一方側（図１において左上側）に配置されている。
【００３０】
図３及び図４に示すように、コンデンサ４０は、円柱状の本体部４２と、本体部４２の軸方向一方側の端面から同一方向に向けて延出された一対のリード線４４、４６とを備えている。コンデンサ４０のリード線４４、４６は、コンデンサ回路基板３１に設けられた図示しない一対の取付孔に挿通され、その状態ではんだ付けにより固定されている。また、一対のリード線４４、４６がはんだ付けされた状態では、コンデンサ４０における本体部４２の軸線がコンデンサ回路基板３１と直交している。コンデンサ４０の一対のリード線４４、４６のうちの一方のリード線である正極リード線４４は、コンデンサ回路基板３１に設けられている正極側の導体パターンを介して正極側入力電極２７のパターン接続用電極部２７ａに接続されている。他方のリード線である負極リード線４６は、コンデンサ回路基板３１に設けられている負極側の導体パターンを介して負極側入力電極２８のパターン接続用電極部２８ａに接続されている。
【００３１】
なお、この実施形態では、複数のコンデンサ４０の全てが同一の構成になっている。すなわち、複数のコンデンサ４０の本体部４２は、いずれも同一の外径であり、且つ軸方向の寸法も同一である。また、リード線４４、４６の本体部４２からの延出長さや、一対のリード線４４、４６の間隔も同一になっている。
【００３２】
図２に示すように、複数のコンデンサ４０は、コンデンサ回路基板３１の長さ方向に沿って一列に並んで配置された複数の第１コンデンサ５０と、複数の第１コンデンサ５０と並列となるようにコンデンサ回路基板３１の長さ方向に沿って一列に並んで配置された複数の第２コンデンサ６０とに大別できる。この実施形態では、第１コンデンサ５０が１１個、第２コンデンサ６０が１２個、コンデンサ４０としては合計２３個設けられている。なお、上述したとおり、この実施形態では、全てのコンデンサ４０が同一の構成であるので、第１コンデンサ５０の本体部５２と第２コンデンサ６０の本体部６２は同じ外径である。
【００３３】
複数の第１コンデンサ５０は、隣り合う第１コンデンサ５０における本体部５２の外周面が互いに接触するように配置されている。すなわち、隣り合う第１コンデンサ５０の中心軸線の間隔（ピッチ）が、第１コンデンサ５０の直径と略同じになっている。複数の第１コンデンサ５０と同様に、複数の第２コンデンサ６０は、隣り合う第２コンデンサ６０における本体部６２の外周面が互いに接触するように配置されている。すなわち、隣り合う第２コンデンサ６０の中心軸線の間隔（ピッチ）が、第２コンデンサ６０の直径と略同じになっている。
【００３４】
第１コンデンサ５０と第２コンデンサ６０とは、これら第１コンデンサ５０及び第２コンデンサ６０の本体部５２、６２の軸線方向から平面視した場合にハニカム状となるように、コンデンサ回路基板３１への取り付け位置が互い違いにずれて配置されている。換言すると、第１コンデンサ５０と第２コンデンサとは、これら第１コンデンサ５０及び第２コンデンサ６０の軸線方向から平面視した場合にコンデンサ回路基板３１の単位面積あたりに配置されているコンデンサ４０の数が最大となるように最密に配置されている。こうした最密な配置により、１つの第１コンデンサ５０は、２つの第２コンデンサ６０と隣り合っている。同様に、１つの第２コンデンサ６０（コンデンサ回路基板３１の長さ方向における両端の２つの第２コンデンサ６０を除く）は、２つの第１コンデンサ５０と隣り合っている。
【００３５】
各第１コンデンサ５０における一対のリード線５４、５６の並設方向Ｌは、コンデンサ回路基板３１の長さ方向に対して４５°で傾いている。また、各第１コンデンサ５０は、隣り合う第１コンデンサ５０におけるリード線５４、５６の並設方向Ｌが互い違いになるように配置されている。すなわち、隣り合う第１コンデンサ５０のリード線５４、５６の並設方向Ｌは直交している。同様に、各第２コンデンサ６０における一対のリード線６４、６６の並設方向Ｒは、コンデンサ回路基板３１の長さ方向に対して４５°で傾いている。また、各第２コンデンサ６０は、隣り合う第２コンデンサ６０におけるリード線６４、６６の並設方向Ｒが互い違いになるように配置されている。すなわち、隣り合う第２コンデンサ６０のリード線６４、６６の並設方向Ｒは直交している。
【００３６】
上述のように各コンデンサ４０におけるリード線４４、４６の並設方向が設定されていることで、第１コンデンサ５０におけるリード線５４、５６の並設方向Ｌと、第２コンデンサ６０におけるリード線６４、６６の並設方向Ｒとは次のような関係になっている。すなわち、各第１コンデンサ５０におけるリード線５４、５６の並設方向Ｌ（例えば、図２における並設方向Ｌ１）は、各第１コンデンサ５０のそれぞれに隣り合っている２つの第２コンデンサ６０のうちの一方の第２コンデンサ６０におけるリード線６４、６６の並設方向Ｒ（例えば、図２における並設方向Ｒ１）と直交している。また、各第２コンデンサ６０におけるリード線６４、６６の並設方向Ｒ（例えば、図２における並設方向Ｒ１）は、各第２コンデンサ６０のそれぞれに隣り合っている２つの第１コンデンサ５０のうちの一方の第１コンデンサ５０におけるリード線５４、５６の並設方向Ｌ（例えば、図２における並設方向Ｌ１）と直交している。
【００３７】
次に、本実施形態の作用について説明する。
コンデンサ４０は、リード線４４、４６の並設方向には傾動し難いが、リード線４４、４６の並設方向と直交する方向には傾動し易い。具体的には、コンデンサ４０がリード線４４、４６の並設方向に傾動しようとした場合、一対のリード線４４、４６のうちの一方がコンデンサ回路基板３１の取付孔から抜け出す必要がある。しかし、リード線４４、４６は、コンデンサ回路基板３１に対してはんだ付けされているため、コンデンサ回路基板３１の取付孔から抜け出すことはできない。したがって、コンデンサ４０は、リード線４４、４６の並設方向には傾動し難い。その一方で、コンデンサ４０がリード線４４、４６の並設方向とは直交する方向に傾動しようとした場合、リード線４４、４６が共に折れ曲がることでコンデンサ４０が傾動し易い。
【００３８】
ここで、仮に、コンデンサ４０の周囲に他のコンデンサ４０が配置されていない場合、コンデンサ４０は、リード線４４、４６とコンデンサ回路基板３１との固定箇所を支点として傾動する。そして、コンデンサ４０は、最大で、コンデンサ４０の軸方向の端面がコンデンサ回路基板３１の表面に当接するまで傾動し得る。なお、図２及び図４に示すように、このようなリード線４４、４６の並設方向とは直交する方向にコンデンサ４０が傾動可能な仮想範囲を仮想傾動範囲Ｈとする。
【００３９】
ところで、半導体装置１０に外部から力がかかって、コンデンサ回路基板３１が振動することがある。例えば、仮に、図５に示すように各コンデンサ４０が互いにそれぞれの仮想傾動範囲Ｈ外に配置されている場合、コンデンサ回路基板３１の振動に伴って各コンデンサ４０が傾動しても、各コンデンサ４０は互いを受け止め合うことができない。したがって、隣り合うコンデンサ４０同士で傾動を抑制し合うことはできない。
【００４０】
さらに、図５に示すように、全てのコンデンサ４０のリード線４４、４６の並設方向が同一である場合、全てのコンデンサ４０について、傾動し易い方向が一致している。したがって、仮にコンデンサ４０が傾動して他のコンデンサ４０に接触したとしても、それら２つのコンデンサ４０が共に傾動してしまう。したがって、コンデンサ４０の傾動を他のコンデンサ４０で抑制することは期待できない。
【００４１】
一方、本実施形態の半導体装置１０では、図２に示すように、各コンデンサ４０がハニカム状に密集して配置されている。つまり、各コンデンサ４０は、隣り合うコンデンサ４０における本体部４２の外周面が互いに接触するように配置されている。このため、各コンデンサ４０のそれぞれの仮想傾動範囲Ｈ内に、各コンデンサ４０のそれぞれに隣り合っているコンデンサ４０が配置されている。
【００４２】
具体的には、例えばコンデンサ回路基板３１の長さ方向における一方側（図２において左側）の端部に位置している第１コンデンサ５０Ａの仮想傾動範囲Ｈ内には、当該第１コンデンサ５０Ａに隣り合っている第１コンデンサ５０Ｂと、コンデンサ回路基板３１の長さ方向における一方側（図２において左側）の端部に位置している第２コンデンサ６０Ａと、当該第２コンデンサ６０Ａに隣り合っている第２コンデンサ６０Ｂとが配置されている。そのため、コンデンサ回路基板３１の振動に伴って第１コンデンサ５０Ａが傾動しようとしても、当該第１コンデンサ５０Ａは、第１コンデンサ５０Ｂ、第２コンデンサ６０Ａ、第２コンデンサ６０Ｂで受け止められる。
【００４３】
ここで、第１コンデンサ５０Ａにおけるリード線５４、５６の並設方向Ｌ１と、第２コンデンサ６０Ｂにおけるリード線６４、６６の並設方向Ｒ１とは直交している。そのため、第１コンデンサ５０Ａが傾動し易い方向と第２コンデンサ６０Ｂが傾動し易い方向とは異なっている。したがって、傾動しようとする第１コンデンサ５０Ａを受け止めた第２コンデンサ６０Ｂが第１コンデンサ５０Ａと共に傾動してしまうことは抑制される。こうして、第１コンデンサ５０Ａの傾動が第２コンデンサ６０Ｂによって抑制される。
【００４４】
また、第１コンデンサ５０Ａにおけるリード線５４、５６の並設方向Ｌ１と、第１コンデンサ５０Ｂにおけるリード線５４、５６の並設方向Ｌ２とは直交している。そのため、第１コンデンサ５０Ａが傾動し易い方向と第１コンデンサ５０Ｂが傾動し易い方向とが異なっている。したがって、傾動しようとする第１コンデンサ５０Ａを受け止めた第１コンデンサ５０Ｂが第１コンデンサ５０Ａと共に傾動してしまうことは抑制される。こうして、第１コンデンサ５０Ａの傾動が第１コンデンサ５０Ｂで抑制される。
【００４５】
なお、コンデンサ回路基板３１の振動方向が、第１コンデンサ５０Ａにおけるリード線５４、５６の並設方向Ｌ１と直交している場合、第1コンデンサ５０Ａが最も傾動しやすくなる。しかし、第１コンデンサ５０Ａにおけるリード線５４、５６の並設方向Ｌ１と、第２コンデンサ６０Ｂにおけるリード線６４、６６の並設方向Ｒ１とが直交している。そのため、上記の場合のコンデンサ回路基板３１の振動方向は、第２コンデンサ６０Ｂが最も傾動し難い方向となっている。したがって、第１コンデンサ５０Ａの傾動は第２コンデンサ６０Ｂによって効果的に抑制される。同様に、第１コンデンサ５０Ａにおけるリード線５４、５６の並設方向Ｌ１と、第１コンデンサ５０Ｂにおけるリード線５４、５６の並設方向Ｌ２とが直交している。そのため、上記の場合のコンデンサ回路基板３１の振動方向は、第１コンデンサ５０Ｂが最も傾動し難い方向となっている。したがって、第１コンデンサ５０Ａの傾動は第１コンデンサ５０Ｂによって効果的に抑制される。
【００４６】
上記実施形態によれば、以下のような効果を得ることができる。
（１）第１コンデンサ５０の仮想傾動範囲Ｈ内に、当該第１コンデンサ５０に隣り合う第２コンデンサ６０が配置されていることで、第１コンデンサ５０が傾動しようとした場合に、当該第1コンデンサを第２コンデンサで受け止めることができる。そして、第１コンデンサ５０と第２コンデンサ６０における互いのリード線の並設方向Ｌ、Ｒが交差していることで、第１コンデンサ５０を受け止めた第２コンデンサ６０が第１コンデンサ５０と共に傾動することが抑制され、第１コンデンサ５０の傾動が抑制される。こうした一方の列のコンデンサ４０が他方の列のコンデンサ４０の傾動を抑制する関係が第１コンデンサ５０と第２コンデンサ６０との間に相互に成り立っていることで、第１コンデンサ５０と第２コンデンサ６０とは、互いの傾動を抑制し合うことができる。
【００４７】
（２）隣り合う第１コンデンサ５０が互いにそれぞれの仮想傾動範囲Ｈ内に配置され、かつ、互いにそれぞれのリード線５４、５６の並設方向Ｌが交差している。これにより、第１コンデンサ５０と第２コンデンサ６０という異なる列の間で傾動を抑制し合うだけでなく、隣り合う第１コンデンサ５０同士という同一の列の中で互いの傾動を抑制し合うことができる。この点、第２コンデンサ６０についても同様である。したがって、第１コンデンサ５０及び第２コンデンサ６０の傾動をより確実に抑制できる。
【００４８】
（３）隣り合う第１コンデンサ５０と第２コンデンサ６０とにおけるリード線の並設方向Ｌ、Ｒが互いに直交している。これにより、第１コンデンサ５０の最も傾動し易い方向が、第２コンデンサ６０の最も傾動し難い方向となり、第２コンデンサ６０の最も傾動し易い方向が、第１コンデンサ５０の最も傾動し難い方向となっている。こうして互いが最も傾動し易い方向の傾動を抑制し合うことで、様々な角度の振動に対し、第１コンデンサ５０と第２コンデンサ６０との傾動を抑制できる。
【００４９】
（４）各コンデンサ４０がハニカム状に密集して配置されていることで、一つのコンデンサ４０の傾動をコンデンサ群全体で受け止めることができる。したがって、コンデンサ４０の傾動を抑制する効果を、より高めることができる。
【００５０】
（５）隣り合うコンデンサ４０同士が接触していることで、各コンデンサ４０の僅かな傾動すらも抑制できる。したがって、各コンデンサ４０のリード線４４、４６が破断することを好適に抑制できる。
【００５１】
なお、上記実施形態は、以下のように変更して実施することもできる。
○  上記実施形態では、半導体モジュール１２及びコンデンサモジュール３０を備えた半導体装置１０に、上記コンデンサ４０に関する構成を適用したが、このコンデンサ４０に関する構成は、他の電子機器についても適用できる。すなわち、回路基板上に複数列のコンデンサ４０を実装した電子機器であれば、どのような電子機器に対しても、上記コンデンサ４０に関する構成を適用できる。
【００５２】
○  上記実施形態では、第１コンデンサ５０（第１コンデンサ５０Ａ）に隣り合う２つの第２コンデンサ６０（第２コンデンサ６０Ａ、６０Ｂ）のうちの一方（第２コンデンサ６０Ｂ）におけるリード線６４、６６の並設方向Ｒが、第１コンデンサ５０におけるリード線５４、５６の並設方向Ｌと直交していた。これに対して、第１コンデンサ５０に隣り合う２つの第２コンデンサ６０の両方について、リード線６４、６６の並設方向Ｒが、第１コンデンサ５０におけるリード線５４、５６の並設方向Ｌと直交していてもよい。例えば、全ての第２コンデンサ６０におけるリード線６４、６６の並設方向Ｒを同じ方向にすれば、上記のような状態となる。
【００５３】
○  第１コンデンサ５０におけるリード線５４、５６の並設方向Ｌと、その第１コンデンサ５０に隣り合う第２コンデンサ６０におけるリード線６４、６６の並設方向Ｒは、交差してさえいれば直交に限らない。例えば、並設方向Ｌと並設方向Ｒとが成す角度が３０°や４５°であってもよい。
【００５４】
○  複数の第１コンデンサ５０において、リード線５４、５６の並設方向Ｌは、互い違いになっていなくてもよい。例えば、全ての第１コンデンサ５０において、リード線５４、５６の並設方向Ｌが同一であってもよいし、複数の第１コンデンサ５０毎（例えば２個毎）に、リード線５４、５６の並設方向Ｌが互い違いであってもよい。この点、第２コンデンサ６０についても同様である。
【００５５】
○  第１コンデンサ５０とそれに隣り合う第２コンデンサ６０とは、必ずしも本体部５２、６２の外周面同士が接触していなくてもよい。例えば、コンデンサ４０は、製造上の公差により、本体部４２の外径にばらつきが生じることがある。この場合、コンデンサ４０における本体部４２の外周面同士が接触するように、コンデンサ４０の実装位置が設定されていても、一部のコンデンサ４０について本体部４２の外周面が他のコンデンサ４０における本体部４２の外周面に接触しないこともある。また、コンデンサ４０がコンデンサ回路基板３１に対して傾いて実装された場合も、一部のコンデンサ４０について本体部４２の外周面が他のコンデンサ４０における本体部４２の外周面に接触しないことがある。このような場合であっても、第１コンデンサ５０の仮想傾動範囲Ｈ内に、その第１コンデンサ５０に隣り合う第２コンデンサ６０が存在していれば、互いの傾動を抑制し合うことができる。
【００５６】
○  上記実施形態では、コンデンサ４０をハニカム状に配置したが、コンデンサ４０の配置態様はこれに限らない。例えば、各第１コンデンサ５０と各第２コンデンサ６０とが、コンデンサ回路基板３１の長さ方向において同じ位置に設けられていてもよい。
【００５７】
○  複数の第１コンデンサ５０は、一列に並んでいれば隣り合う第１コンデンサ５０間の間隔を自由に変更してよいし、各第１コンデンサ５０間の間隔も一定でなくてもよい。例えば隣り合う第１コンデンサ５０が互いにそれぞれの仮想傾動範囲Ｈ外に位置していてもよい。この場合であっても、第１コンデンサ５０の仮想傾動範囲Ｈ内に、第２コンデンサ６０が存在していれば、隣り合う第２コンデンサ６０によって第１コンデンサ５０の傾動は抑制できる。この点、第２コンデンサ６０についても同様である。
【００５８】
○  複数の第１コンデンサ５０は、同一直線上で一列に並んでいなくてもよく、例えば湾曲しながら一列に並んでいてもよい。第２コンデンサ６０についても同様である。
○  コンデンサ４０の本体部４２は円柱状に限らない。例えば、楕円柱状、多角形状など、他の柱状であってもよい。
【００５９】
○  複数のコンデンサ４０の構成はすべて同一でなくてもよく、形状の異なる複数のコンデンサ４０が混在していてもよい。つまり、複数のコンデンサ４０間において本体部４２の形状、外径、軸方向の寸法が異なっていてよい。
【符号の説明】
【００６０】
１０…半導体装置、３１…コンデンサ回路基板、４０…コンデンサ、４２、５２、６２…本体部、４４、４６、５４、５６、６４、６６…リード線、５０…第１コンデンサ、６０…第２コンデンサ、Ｈ…仮想傾動範囲、Ｌ、Ｒ…並設方向。
【図１】
2018195699.tif 000003
【図２】
2018195699.tif 000004
【図３】
2018195699.tif 000005
【図４】
2018195699.tif 000006
【図５】
2018195699.tif 000007